(57)【要約】【課題】本体ケースの上面に吸込口を設けた場合に、この吸込口からの塵埃の侵入を防止する空気調和機の室内機を提供する。【解決手段】天板５に吸込口６を有し壁面に固定される後部ケース３と、この後部ケース６の前面側に設けられる前面ケース２と、前記後部ケース３内に設けられる熱交換器９及び送風機１３とを備えた空気調和機の室内機１において、前記前面ケース２は後部ケース３の側部を軸として回動自在に設けられ、前面ケース２には吸込口６を開閉する蓋板１７を設けた。【選択図】      図１
2004251465.tif 000002
【特許請求の範囲】
【請求項１】
天板に吸込口を有し壁面に固定される後部ケースと、この後部ケースの前面側に設けられる前面ケースと、前記後部ケース内に設けられる熱交換器及び送風機とを備えた空気調和機の室内機において、
前記前面ケースは後部ケースの側部を軸として回動自在に設けられ、前面ケースには吸込口を開閉する蓋板を設けたことを特徴とする空気調和機の室内機。
【請求項２】
前記蓋板は後部ケースの天板に重ねられることを特徴とする請求項１に記載の空気調和機の室内機。
【請求項３】
前記後部ケースには前面ケースを回動駆動する駆動装置を設けたことを特徴とする請求項１または２に記載の空気調和機の室内機。
【請求項４】
前記蓋板には開口部を有し、前記吸込口は、前面ケースが回動されることにより、蓋板の開口部と天板の開口部とが合わされたときに開放、蓋板の板部が天板の開口部を覆ったときに閉鎖されることを特徴とする請求項１〜３のいずれかに記載の空気調和機の室内機。
【請求項５】
前記蓋板及び天板にはそれぞれ複数の開口部を有することを特徴とする請求項１〜４のいずれかに記載の空気調和機の室内機。
【請求項６】
前記後部ケースの下端部に吹出口を形成し、この吹出口には吹出口開口を開閉する風向調節器を設けたことを特徴とする請求項１〜５のいずれかに記載の空気調和機の室内機。
【発明の詳細な説明】
【０００１】
【発明の属する技術分野】
本発明は、分離型空気調和機の室内機に関し、特に本体ケース内に塵埃の侵入をし難くする壁掛け型室内機に関する。
【０００２】
【従来の技術】
図４は従来の壁掛け型室内機の側断面図である。図４において、室内機６１はプラスチック等を材料として形成された横長の本体ケース６１Ａを有し、この本体ケース６１Ａには前面及び上面に室内空気の吸込口６２、６３と、下端部に開閉フラップ６４ａを枢着した吹出口６４とを有し、本体ケース６１Ａ内にこれら吸込口６２、６３及び吹出口６４を連通する通風路６５を形成している。この通風路６５には熱交換器６６及び送風ファン６７を配設し、熱交換器６６上流側の通風路６５には通風路６５の断面を覆うようにエアフィルタ６８と空気清浄フィルタ６９とを配置し、室内空気中の塵埃を捕らえて塵埃が下流側に侵入しないようにしている（例えば、特許文献１参照）。
【０００３】
なお、前記熱交換器６６には、図示しない室外機が冷媒管にて接続され、冷媒が循環して供給される。そして、冷房運転時には熱交換器６６が冷却され、室内空気が熱交換器６６と熱交換して室内へ吹き出すことにより室内が冷房される。また、暖房運転時には熱交換器６６が暖められ、室内空気が熱交換器６６と熱交換して室内へ吹き出すことにより室内が暖房される。
【０００４】
【特許文献１】
特開２００１−４１５６０号公報。
【０００５】
【発明が解決しようとする課題】
ところで、この種の室内機６１では、本体ケース６１Ａの高さ寸法を抑えて奥行き寸法を大きくしており、内部に配置される熱交換器６６を前部から後上部にかけて配置しており、本体ケース６１Ａには前述したように、前面のみならず上面に空気の吸込口６２、６３を設けている。このため、上面に開口している上面吸込口６３には、室内の塵埃が舞い落ちて本体ケース６１Ａ内部に侵入しやすくなり、エアフィルタ６８及び空気清浄フィルタ６９で捉えきれない細かな塵埃が熱交換器６６や送風ファン６７に付着する。そして、シーズンオフの期間中など長期間の停止状態の後に、運転を開始すると、本体内に付着した塵埃によって、暖房あるいは冷房能力が低下するという問題があった。
【０００６】
本発明は、上述したような従来の事情に鑑みてなされたものであり、本体ケースの上面に吸込口を設けた場合に、この吸込口からの塵埃の侵入を防止するようにした空気調和機の室内機を提供することを目的とする。
【０００７】
【課題を解決するための手段】
上記目的を達成するために、請求項１記載の発明は、天板に吸込口を有し壁面に固定される後部ケースと、この後部ケースの前面側に設けられる前面ケースと、前記後部ケース内に設けられる熱交換器及び送風機とを備えた空気調和機の室内機において、前記前面ケースは後部ケースの側部を軸として回動自在に設けられ、前面ケースには吸込口を開閉する蓋板を設けたことを特徴とする。
【０００８】
請求項２に記載の発明は、請求項１に記載の空気調和機の室内機において、前記蓋板は後部ケースの天板に重ねられることを特徴とする。
【０００９】
請求項３に記載の発明は、請求項１または２に記載の空気調和機の室内機において、前記後部ケースには前面ケースを回動駆動する駆動装置を設けたことを特徴とする。
【００１０】
請求項４に記載の発明は、請求項１〜３のいずれかに記載の空気調和機の室内機において、前記蓋板には開口部を有し、前記吸込口は、前面ケースが回動されることにより、蓋板の開口部と天板の開口部とが合わされたときに開放、蓋板の板部が天板の開口部を覆ったときに閉鎖されることを特徴とする。
【００１１】
請求項５に記載の発明は、請求項１〜４のいずれかに記載の空気調和機の室内機において、前記蓋板及び天板にはそれぞれ複数の開口部を有することを特徴とする。
【００１２】
請求項６に記載の発明は、請求項１〜５のいずれかに記載の空気調和機の室内機において、前記後部ケースの下端部に吹出口を形成し、この吹出口には吹出口開口を開閉する風向調節器を設けたことを特徴とする。
【００１３】
【発明の実施の形態】
以下、本発明の一実施形態を図面に基づいて説明する。
【００１４】
図１は本発明の一実施形態を示す分離型空気調和機の室内機の断面説明図、  図２は室内機の側面図、図３は室内機の前面ケース作動時の側断面図である。
【００１５】
図１において、室内機１の本体ケース１Ａは、合成樹脂製で横長に形成され、前面側の前面ケース２と、背面側の後部ケース３と、背面板４とを備え、背面板４を室内の壁などに固着することで取り付けられている。
【００１６】
後部ケース３は、前面が開口した箱形をしており、上部の天板５には複数の横長開口部５ｈ、５ｈ・・を有する吸込口６が形成され、下端部には空気の吹き出す方向を調節する上下風向調節器７ａ及び左右風向調節器７ｂを有する吹出口７が形成されている。上下風向調節器７ａは、吹出口７の側部に回動自在に取り付けられ、空気調和機の運転時には自動的に回動して所定の角度位置に留まり、停止時には自動的に吹出口７を閉鎖するようになっている。
【００１７】
前面ケース２は、後部ケース３の前面の開口を覆う前板２Ａと、前記天板５の上に重ねられ複数の横長開口部１７ｈ、１７ｈ・・を有する蓋板１７と、この前面ケース２を回動させるための支持板１８と、蓋板１７の上両端に形成され前面ケース２を後部ケース３の上縁に沿って滑らかに摺動させるためのガイド部２１、２１（図２参照）とを有している。支持板１８には、図２に示すように、先端に回動軸２２が形成されこの回動軸２２が後部ケース２の両側板に設けられた軸受けに回動自在に取り付けられている。そして前面ケース２は、後部ケース３に対して所定角度内で回動し、一端側の位置に停止することにより蓋板１７の板部が天板５の開口部５ｈ、５ｈ・・を覆って閉鎖し、他端側の位置に停止することにより、図３に示すように、蓋板１７の開口部１７ｈ、１７ｈ・・と天板５の開口部５ｈ、５ｈ・・とが合わされ天板５の開口部５ｈ、５ｈ・・が開放される。
【００１８】
なお、図示はしていないが、前板２Ａの一部が外れて着脱自在に取り付けられ、室内機１内部のメンテナンス（熱交換器９の掃除や後述する空気清浄フィルタの交換など）が可能になっている。
【００１９】
また、後部ケース３の天板５後部には、前面ケース２回動用の駆動装置２４が設けられている。この駆動装置２４は左右両端に設けられた一対のピニオン２５、２５と、これらピニオン２５、２５を連結させる連結軸（図示せず）と、右端に設けられる正逆回転可能な駆動用モータ２６（例えば直流ステッピングモータ）等とで構成され、蓋板５後部の左右両端に設けられる一対のラック２７、２７に前記一対のピニオン２５、２５が歯合し微速での前面ケース２の回動を可能にしている。
【００２０】
空気調和機の運転開始時には駆動用モータ２６がゆっくりと回転して一対のピニオン２５、２５を回転させる。これらピニオン２５、２５に噛み合うラック２７、２７を介して蓋板１７が前方に移動し、前面ケース２はガイド部２１に沿って回動する。蓋板１７の後両端部に設けられたストッパ２８、２８が所定位置に到達すると駆動用モータ２６が停止し前面ケース２が前方の位置に停止する。
【００２１】
また、停止時には駆動用モータ２６がゆっくりと逆回転して一対のピニオン２５、２５を回転させる。それに噛み合うラック２７、２７を介して蓋板１７が後方に移動し、ストッパ２８、２８が所定位置に到達すると駆動用モータ２６が停止し前面ケース２が後方の位置に停止する。
【００２２】
このようにして、空気調和機の運転時には、天板５の開口部５ｈ、５ｈ・・が開放して吸込口６が開き、運転の停止時には、天板５の開口部５ｈ、５ｈ・・が閉鎖して吸込口６が閉じるようになっている。
【００２３】
また、本体ケース１Ａ内には吸込口６と吹出口７とを連通する通風路８が形成され、この通風路８内には熱交換器９と送風機１３とが配設されている。
【００２４】
前記送風機１３は、クロスフローファン１３ｆを有し通風路８の略中央に配設され、通風路８内の空気を吹出口７から室内へ吹き出すように回転する。これにより吸込口６から取り入れられた室内の空気が、通風路８を通って吹出口７から吹き出すようになっている。
【００２５】
前記熱交換器９は、冷媒が流れる多数の冷媒管とフィンとを備え、通風路８の空気の流れに対抗するようにクロスフローファン１３ｆの前方と上後方に配設されている。この熱交換器９は、前方に設けられた第１熱交換器９ａと上後方に設けられた第２熱交換器９ｂとで構成されており、第１熱交換器９ａは、その略中央部に設けた切り込み１４によってくの字に折り曲げられ、クロスフローファン１３ｆの前方に設けられている。第２熱交換器９ｂは、第１熱交換器９ａと上端部が接してクロスフローファン１３ｆを挟むように逆Ｖ字形に対面配置されている。
【００２６】
また、熱交換器９の前方及び上方には、送風機１３により吸引される室内空気中の比較的大きな塵を除塵するエアフィルタ１５が設けられ、このエアフィルタ１５を通過した室内空気の比較的細かい塵を更に除塵する空気清浄フィルタ１６が設けられている。
【００２７】
なお、室内機１は、図示しない室外機に接続され、この室外機に内蔵された圧縮機、室外熱交換器及び膨張弁等の構成部品と室内機１の熱交換器９とが冷媒管にて環状に接続されて冷凍サイクルを構成している。この冷凍サイクル内を冷媒が循環することによって空調運転を行うようになっている。また、本空気調和機には操作用のリモコンを備えており、このリモコン操作により運転開始時には、前記駆動装置２４及び上下風向調節器７ａが自動的に所定位置まで作動し、停止時には吹出口７を閉鎖する元の位置に戻るようになっている。
【００２８】
このように構成された室内機１において、空気調和機の運転時には、駆動用モータ２６が作動し、前面ケース２が前方に回動し、吸込口６が開放される。さらに、吹出口７が開放され、クロスフローファン１３ｆが作動する。吸込口６から吸い込まれた室内空気がエアフィルタ１５及び空気清浄フィルタ１６を通過して除塵されて熱交換器９に吹き付ける。熱交換器９は、室外機から循環供給された冷媒により加温または冷却される。この熱交換器９と吸い込まれた室内空気とが熱交換し、熱交換された空気が室内へ吹き出されることにより、室内が暖房または冷房される。
【００２９】
一方、空気調和機が停止すると、クロスフローファン１３ｆが停止し、駆動用モータ２６が作動し前面ケース２が後方に回動し吸込口６が閉鎖され、さらに吹出口７も閉鎖される。前記吸込口６及び吹出口７が閉鎖されるので、本体ケース１Ａ内には吸込口６及び吹出口７を通して室内の塵埃が侵入しないようになっている。
【００３０】
このように、本発明の壁掛け型室内機１は、前面ケース２が後部ケース３に対して回動自在に設けられており、前面ケース２が回動することにより後部ケース３の天板５に設けられた吸込口６が前面ケース２の蓋板１７により開閉する。そして空気調和機の運転時には吸込口６を開放し、停止時には吸込口６を閉鎖するので、停止時の室内機１内部をほぼ密閉状態に保ち、吸込口６からの塵埃の侵入を大幅に減らすことができる。
【００３１】
なお、本発明は上述した実施形態に限定されず、本発明の要旨を逸脱しない範囲で種々変形可能である。
【００３２】
本実施形態では、前面に吸込口６を設けていないが、前面に吸込口６を設けてあっても良い。
【００３３】
【発明の効果】
以上説明したように、本発明の壁掛型室内機は、空気調和機の運転の停止時に室内ケースの上面に設けた吸込口を閉鎖するので、室内機上部に舞い落ちる塵埃を室内ケース内部へ侵入するのを防いでいる。これによりシーズンオフ等、長期間使用しない場合でも、塵埃の侵入を防ぎ、内部への付着を防いで、空調能力の低下を抑えることができる。
【図面の簡単な説明】
【図１】本発明の一実施形態における室内機の側断面図である。
【図２】室内機の側面図である。
【図３】室内機の前面ケース作動時の側断面図である。
【図４】従来の壁掛型室内機の側断面図である。
【符号の説明】
１  室内機
１Ａ  本体ケース
２  前面ケース
３  後部ケース
５  天板
５ｈ  天板の開口部
６  吸込口
７  吹出口
７ａ  上下風向調節器
９  熱交換器
１３  送風機
１５  エアフィルタ
１７  蓋板
１７ｈ  蓋板の開口部
１８  支持板
２１  ガイド部
２２  回動軸
２４  駆動装置
２６  駆動用モータ
【図１】
2004251465.tif 000003
【図２】
2004251465.tif 000004
【図３】
2004251465.tif 000005
【図４】
2004251465.tif 000006